【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
第１パッド電極及び第２パッド電極と、
第１方向に並んだ複数の吐出用ヒータを有する第１ヒータ列と、
前記複数の吐出用ヒータに電気エネルギーを供給する駆動回路と、
前記複数の吐出用ヒータが配される面に対する平面視において、前記第１ヒータ列が配された領域と前記第１パッド電極の間に配された第１の回路ブロック、および、前記領域と前記第２パッド電極の間に配された第２の回路ブロックを含み、前記駆動回路へ電気信号を供給する信号供給回路と、
前記平面視において、前記領域と前記第１パッド電極の間に配された第１部分、および、前記領域と前記第２パッド電極の間に配された第２部分を含む基板加熱用ヒータと、を備え、
前記第１部分の前記第１の方向と交差する方向に延在する部分の、電流の向きに沿った単位長さあたりの抵抗値と、前記第２部分の前記第１の方向と交差する方向に延在する部分の、電流の向きに沿った単位長さあたりの抵抗値とが異なることを特徴とする液体吐出ヘッド用基板。
【請求項２】
第１パッド電極及び第２パッド電極と、
第１方向に並んだ複数の吐出用ヒータを有する第１ヒータ列と、
前記複数の吐出用ヒータに電気エネルギーを供給する駆動回路と、
前記複数の吐出用ヒータが配される面に対する平面視において、前記第１ヒータ列が配された領域と前記第１パッド電極の間の第１の領域に配された第１の回路ブロック、および、前記領域と前記第２パッド電極の間の第２の領域に配された第２の回路ブロックを含み、前記駆動回路へ電気信号を供給する信号供給回路と、
前記平面視において、前記第１の領域に配された第１部分、および、前記第２の領域に配された第２部分を含む基板加熱用ヒータと、を備え、
前記第１の領域における前記第１部分の配線長と、前記第２の領域における前記第２部分の配線長とが異なり、
前記第１の領域における前記第１部分の面密度と、前記第２の領域における前記第２部分の面密度とが異なることを特徴とする液体吐出ヘッド用基板。
【請求項３】
前記第１部分の配線幅と前記第２部分の配線幅とが異なることを特徴とする請求項１または２に記載の液体吐出ヘッド用基板。
【請求項４】
前記第１部分の厚さと前記第２部分の厚さとが異なることを特徴とする請求項１乃至請求項３のいずれか一項に記載の液体吐出ヘッド用基板。
【請求項５】
前記第１部分を構成する材料の比抵抗と前記第２部分を構成する材料の比抵抗とが異なることを特徴とする請求項１乃至請求項４のいずれか一項に記載の液体吐出ヘッド用基板。
【請求項６】
前記第１部分と、前記第２部分とが共通の電流経路を構成することを特徴とする請求項１乃至請求項５のいずれか一項に記載の液体吐出ヘッド用基板。
【請求項７】
前記第１のパッド電極と前記第２のパッド電極とが、前記第１部分、および、前記第２部分を介して接続されていることを特徴とする請求項１乃至請求項６のいずれか一項に記載の液体吐出ヘッド用基板。
【請求項８】
前記信号供給回路の供給する前記電気信号は、外部からの情報に基づく、前記駆動回路の制御信号であることを特徴とする請求項１乃至７のいずれか１項に記載の液体吐出ヘッド用基板。
【請求項９】
前記信号供給回路の供給する前記電気信号は、前記駆動回路の電源電圧であることを特徴とする請求項１乃至７のいずれか１項に記載の液体吐出ヘッド用基板。
【請求項１０】
前記第１の回路ブロックは、外部からの情報に基づいて前記駆動回路へ制御信号を供給する信号処理回路であり、
前記第２の回路ブロックは、前記駆動回路の電源電圧を供給する電圧発生回路であることを特徴とする請求項１乃至９のいずれか１項に記載の液体吐出ヘッド用基板。
【請求項１１】
前記第１ヒータ列が配された領域と前記第１パッド電極の間の領域の温度と、前記第１ヒータ列が配された領域と前記第２パッド電極の間の領域の温度との差が、前記基板加熱用ヒータに通電せずに前記吐出用ヒータを動作させた場合に比べて小さくなるように、前記第１部分の、電流の向きに沿った単位長さあたりの抵抗値と、前記第２部分の電流の向きに沿った単位長さあたりの抵抗値とが異なることを特徴とする請求項１に記載の液体吐出ヘッド用基板。
【請求項１２】
前記第１の領域の温度と前記第２の領域の温度との差が、前記基板加熱用ヒータに通電せずに前記吐出用ヒータを動作させた場合に比べて小さくなるように、前記第１部分の配線長と、前記第２部分の配線長とが異なり、かつ、前記第１部分の面密度と、前記第２部分の面密度とが異なることを特徴とする請求項２に記載の液体吐出ヘッド用基板。
【請求項１３】
前記第１パッド電極は、前記液体吐出ヘッド用基板の、前記第１ヒータ列が配された領域に対して第１側に配され、前記第２パッド電極は、前記第１側と反対の第２側に配されることを特徴とする請求項１乃至１２のいずれか１項に記載の液滴吐出ヘッド用基板。
【請求項１４】
前記第１の回路ブロックの発熱量と前記第２の回路ブロックの発熱量が異なることを特徴とする請求項１乃至１３のいずれか１項に記載の液体吐出ヘッド用基板。
【請求項１５】
前記第１ヒータ列が配された領域に、前記第１の方向に並んだ複数の吐出用ヒータを有する第２ヒータ列を有し、
前記第１ヒータ列と前記第２ヒータ列は、前記第１の方向と交差する前記方向に並んで配されることを特徴とする請求項１乃至１４のいずれか１項に記載の絵規定吐出ヘッド用基板。
【請求項１６】
前記第２ヒータ列の前記複数の吐出用ヒータに電気エネルギーを供給する駆動回路有し、
前記第１ヒータ列において、前記複数の吐出用ヒータは、間に前記駆動回路を挟むことなく前記第１の方向に配され、
前記第２ンヒータ列において、前記複数の吐出用ヒータは、間に前記駆動回路を挟むことなく前記第１の方向に配されていることを特徴とする請求項１５に記載の液体吐出ヘッド用基板。
【請求項１７】
前記第１ヒータ列内の前記複数の吐出用ヒータのうちの隣り合う２つのヒータの間の距離は、前記第１ヒータ列の前記複数の吐出用ヒータの１つと前記第２ヒータ列の前記複数の吐出用ヒータの１つとの間の距離より小さいことを特徴とする請求項１５または１６に記載の液体吐出ヘッド用基板。
【請求項１８】
請求項１乃至請求項１７のいずれか一項に記載の液体吐出ヘッド用基板と、
前記液体吐出ヘッド用基板に記録用のインクを供給するためのインク供給部と、を備えた液体吐出ヘッド。
【請求項１９】
請求項１８に記載の液体吐出ヘッドと、
前記液体吐出ヘッドを駆動する駆動部と、を備えたことを特徴とする記録装置。
【手続補正２】
【補正対象書類名】明細書
【補正対象項目名】０００８
【補正方法】変更
【補正の内容】
【０００８】
本発明の別の側面に係る実施例の液体吐出ヘッド用基板は、第１パッド電極及び第２パッド電極と、第１方向に並んだ複数の吐出用ヒータを有する第１ヒータ列と、前記複数の吐出用ヒータに電気エネルギーを供給する駆動回路と、前記複数の吐出用ヒータが配される面に対する平面視において、前記第１ヒータ列が配された領域と前記第１パッド電極の間に配された第１の回路ブロック、および、前記領域と前記第２のパッド電極の間に配された第２の回路ブロックを含み、前記駆動回路へ電気信号を供給する信号供給回路と、前記平面視において、前記領域と前記第１パッド電極の間に配された第１部分、および、前記領域と前記第２パッド電極の間に配された第２部分を含む基板加熱用ヒータと、を備え、前記第１部分の前記第１の方向と交差する方向に延在する部分の、電流の向きに沿った単位長さあたりの抵抗値と、前記第２部分の前記第１の方向と交差する方向に延在する部分の、電流の向きに沿った単位長さあたりの抵抗値とが異なることを特徴とする。
【手続補正３】
【補正対象書類名】明細書
【補正対象項目名】０００９
【補正方法】変更
【補正の内容】
【０００９】
本発明の別の側面に係る実施例の液体吐出ヘッド用基板は、第１パッド電極及び第２パッド電極と、第１方向に並んだ複数の吐出用ヒータを有する第１ヒータ列と、前記複数の吐出用ヒータに電気エネルギーを供給する駆動回路と、前記複数の吐出用ヒータが配される面に対する平面視において、前記第１ヒータ列が配された領域と前記第１パッド電極の間の第１の領域に配された第１の回路ブロック、および、前記領域と前記第２パッド電極の間の第２の領域に配された第２の回路ブロックを含み、前記駆動回路へ電気信号を供給する信号供給回路と、前記平面視において、前記第１の領域に配された第１部分、および、前記第２の領域に配された第２部分を含む基板加熱用ヒータと、を備え、前記第１の領域における前記第１部分の配線長と、前記第２の領域における前記第２部分の配線長とが異なり、前記第１の領域における前記第１部分の面密度と、前記第２の領域における前記第２部分の面密度とが異なることを特徴とする。